(57)【特許請求の範囲】
【請求項１】
内空路に連通する送込切欠部を周面若しくは一部に有する管状の保護ケースと、該保護ケースに取り付けられるトリガーグリップと、該トリガーグリップの先端側に連結される分離カテーテル基とを備え、
前記保護ケース内に収納されるカテーテルチューブの末端側に設けられて前記カテーテルチューブを分離カテーテル基に気密に接続せしめるブッシュを備え、
前記ブッシュは、プッシャーで押し進められて前記カテーテルチューブを体内に送り込むことを特徴とするカテーテル収納ケース。
【請求項２】
請求項１に記載のカテーテル収納ケースにおいて、
前記保護ケースは、コイル状に巻回されることを特徴とするカテーテル収納ケース。
【請求項３】
請求項１に記載のカテーテル収納ケースにおいて、
前記トリガーグリップは、少なくとも前記保護ケースの送込切欠部下に配置されるグリップ本体と、該グリップ本体の長手方向両端に形成された保護ケース挿通支持部とを備えてなることを特徴とするカテーテル収納ケース。
【請求項４】
請求項１に記載のカテーテル収納ケースにおいて、
前記分離カテーテル基は、先端開口側に雄ネジを後端開口側にルアテーパー孔を有する連結管と、該連結管の先端側に着脱自在に取り付けられるカテーテル基と、前記連結管内に挿着される管状の加締部材とを備えてなることを特徴とするカテーテル収納ケース。
【請求項５】
請求項１に記載のカテーテル収納ケースにおいて、
前記保護ケース及び／又は前記トリガーグリップに前記カテーテルチューブの送出手段を備えてなることを特徴とするカテーテル収納ケース。
【請求項６】
請求項５に記載のカテーテル収納ケースにおいて、
前記送出手段は、前記保護ケースの送込切欠部で前記カテーテルチューブに接する押出指グリップであることを特徴とするカテーテル収納ケース。
【請求項７】
請求項５に記載のカテーテル収納ケースにおいて、
前記送出手段は、少なくとも前記保護ケースの送込切欠部を被装する滅菌フィルム等の軟性素材からなる伸縮自在なスリーブであることを特徴とするカテーテル収納ケース。
【請求項８】
請求項７に記載のカテーテル収納ケースにおいて、
前記スリーブは、保護ケースにゴム、バネ等の弾性部材を介して伸長方向に付勢されていることを特徴とするカテーテル収納ケース。
【発明の詳細な説明】
【０００１】
【発明の属する技術分野】
本発明は、主としてカテーテルチューブを収納するカテーテル収納ケースの改良に関し、更に詳しくは、片手でも確実に同チューブの送り込みができる有用なカテーテル収納ケースに存する。
【０００２】
【従来の技術】
従来、斯かるカテーテル収納ケースとしては、例えば、実用新案登録第２５１７９８２号公報に開示のものが従来例として周知である。この従来のカテーテル収納ケースは、カテーテルの挿入口を有し、該挿入口以外は密閉構造となっていて消毒液などの液体を収納可能なケースを備え、このケース内に前記カテーテルの先端部を係合させて巻き取るリールを回転可能に収容し、このリールを回転させるハンドルをケースの外部に設け、前記挿入口にキャップをリールに巻き取ったカテーテルの後端部に係合させて密閉装着している。
【０００３】
【発明が解決しようとする課題】
しかしながら、上述した従来のカテーテル収納ケースでは、一箇所で折り曲がることなく巻き取れるといった利点を有するものの、片手での操作（送出・巻回操作）ができないため、換言すれば、ケースを左手に握り、右手でリールを回さないとカテーテルを送り出したり、巻き込むことができないといった問題を有するものであり、また、リールが空転するなど、上手く操作できないことも相俟って、片手でも確実に操作できるカテーテル等用のカテーテル収納ケースが要望されている。
【０００４】
本発明はこのような従来の問題点及び要望に鑑みてなされたもので、片手でも確実な送り込み操作ができる有用なカテーテル収納ケースを提供することを目的としたものである。
【０００５】
【課題を解決するための手段】
上述の如き従来の問題点を解決し、所期の目的を達成するため本発明の要旨とする構成は、内空路に連通する送込切欠部を周面若しくは一部に有する管状の保護ケースと、該保護ケースに取り付けられるトリガーグリップと、該トリガーグリップの先端側に連結される分離カテーテル基とを備え、前記保護ケース内に収納されるカテーテルチューブの末端側に設けられて前記カテーテルチューブを分離カテーテル基に気密に接続せしめるブッシュを備え、前記ブッシュは、プッシャーで押し進められて前記カテーテルチューブを体内に送り込むことを特徴とするカテーテル収納ケース。
【０００７】
更に、前記保護ケースは、コイル状に巻回されるのが良い。
【０００８】
また、前記トリガーグリップは、少なくとも保護ケースの送込切欠部下に配置されるグリップ本体と、該グリップ本体の長手方向両端に形成された保護ケース挿通支持部とを備えるのが良い。
【０００９】
更に、前記分離カテーテル基は、先端開口側に雄ネジを後端開口側にルアテーパー孔を有する連結管と、該連結管の先端側に着脱自在に取り付けされるカテーテル基と、前記連結管内に挿着される管状の加締部材とを備えるのが良い。
【００１０】
また、前記保護ケース及び／又はトリガーグリップにカテーテルチューブの送出手段を備えるのが良い。
【００１１】
更に、前記送出手段は、保護ケースの送込切欠部でカテーテルチューブに接する押出指グリップが好ましい。
【００１２】
また、前記送出手段は、少なくとも保護ケースの送込切欠部を被装する滅菌フィルム等の軟性素材からなる伸縮自在なスリーブが良い。
【００１３】
更に、前記スリーブは、保護ケースにゴム、バネ等の弾性部材を介して伸長方向に付勢させるのが良い。
【００１５】
このように構成される本発明のカテーテル収納ケースは、内空路に連通する送込切欠部を周面若しくは一部に有する管状の保護ケースと、該保護ケースに取り付けされるトリガーグリップと、該トリガーグリップの先端側に連結される分離カテーテル基とを備えてなることによって、トリガーグリップを握持した手の指だけでカテーテルチューブの送り出しが可能となる。
【００１６】
また、保護ケース内に収納されるカテーテルチューブの末端側に設けられて同チューブを分離カテーテル基に気密に接続せしめるブッシュを備えてなることによって、カテーテルチューブと分離カテーテル基とを確実かつ円滑に連結し得ることとなる。
また、前記ブッシュが、プッシャーで押し進められてカテーテルチューブを体内に送り込むことにより、保護ケースの途中でカテーテルチューブが詰まったり、手技の際、送出操作が中断されることもない。
【００１７】
更に、前記保護ケースが、コイル状に巻回されることによって、カテーテルチューブが折れ曲がることがないように保護し得ることとなる。
【００１８】
また、前記トリガーグリップが、少なくとも保護ケースの送込切欠部下に配置されるグリップ本体と、該グリップ本体の長手方向両端に形成された保護ケース挿通支持部とを備えてなることによって、保護ケースへの取り付けが簡単に行えると共に、手掌への握持感覚が良くなる分、カテーテルチューブの操作性が高まることとなる。
【００１９】
更に、前記分離カテーテル基が、先端開口側に雄ネジを後端開口側にルアテーパー孔を有する連結管と、該連結管の先端側に着脱自在に取り付けされるカテーテル基と、前記連結管内に挿着される管状の加締部材とを備えたことによって、前記カテーテル基を回すだけで、加締部材が締め付けられ、カテーテルチューブが外れないように締結し得ることとなる。
【００２０】
また、前記保護ケース及び／又はトリガーグリップにカテーテルチューブの送出手段を備えれば、より円滑に同チューブを送り得ることとなる。
【００２１】
更に、前記送出手段が、保護ケースの送込切欠部でカテーテルチューブに接する押出指グリップであることによって、トリガーグリップを握持する手の親指を前記押出指グリップ内に入れた状態で、カテーテルチューブを押し出し得ることとなる。
【００２２】
また、前記送出手段が、少なくとも保護ケースの送込切欠部を被装する滅菌フィルム等の軟性素材からなる伸縮自在なスリーブであることによって、スリーブの上からカテーテルチューブを掴み、そのまま前方へ送り出し得ることとなる。
【００２３】
更に、前記スリーブを、保護ケースにゴム、バネ等の弾性部材を介して伸長方向に付勢させておけば、スリーブを摘んでカテーテルチューブを送り出しても、スリーブから指が離れた瞬間に、同スリーブが前記弾性部材の付勢力により、元の位置へと戻ることとなる。
【００２５】
【発明の実施の形態】
次に、本発明の実施の一例を図面を参照しながら説明する。図中、Ａは本発明に係るカテーテル収納ケースであり、このカテーテル収納ケースＡは、図１に示すように、管状の保護ケース１と、該保護ケース１に取り付けされるトリガーグリップ２と、該トリガーグリップ２の先端側に連結される分離カテーテル基３とを備えている。
【００２６】
保護ケース１は、コイル状に巻回される合成樹脂管からなり、周面に内空路１ａ（図３参照）に連通する送込切欠部１ｂが形成されている。
【００２７】
トリガーグリップ２は、図２に示すように、前記保護ケース１の送込切欠部１ｂ下に配置されるグリップ本体２ａと、該グリップ本体２ａの長手方向両端に形成された保護ケース挿通支持部２ｂ、２ｂと、前記グリップ本体２ａに下設された保護ケース支持部２ｃとを備えている。
【００２８】
また、斯かるトリガーグリップ２は、カテーテルチューブ４の送出手段５を備えている。この送出手段５は、保護ケース１に形成された送込切欠部１ｂの上位に向けて延出するバネ状の取付グリップ５ａと、該取付グリップ５ａの遊端側に設けられた押出指グリップ５ｂとから構成されている。
【００２９】
更に、押出指グリップ５ｂは、トリガーグリップ２を握持する手の親指が入る大きさに形成されており、下面側にカテーテルチューブ４に当接する押圧部材５ｃが形成されている。
【００３０】
この押圧部材５ｃは、図３(ｂ)に示すように、保護ケース１の送込切欠部１ｂ内に付設された凹み防止用の押圧基台５ｄ上を親指で矢印方向に摺動させることにより、カテーテルチューブ４を無駄なく前方へ送り出すことができる。
【００３１】
一方、分離カテーテル基３は、図４に示すように、管状の連結管３ａと、該連結管３ａの後述する雄ネジ３ａ1 に着脱自在に取り付けされるカテーテル基３ｂと、前記連結管３ａ内に挿着される加締部材３ｃとを備えている。
【００３２】
連結管３ａは、先端外周面に雄ネジ３ａ1 が刻設されていると共に、後端開口側には、保護ケース１を接続するためのソケット管３ａ2 が形成されている。
【００３３】
また、カテーテル基３ｂは、先端側にオスルアテーパー状の送出管３ｂ1 が連設されていると共に、内周面に雌ネジ３ｂ2 が刻設されている。
【００３４】
更に、このカテーテル基３ｂの外周面には、螺合操作の際、指が滑らないように、換言すれば、回動し易いようにリブ３ｂ3 ，３ｂ3 …が形成されている。
【００３５】
また、加締部材３ｃは、例えば、先端外周面の四方位置にスリット３ｃ1 ，３ｃ1 …を介して形成された大径の弾縮部３ｃ2 と、後端内周面に形成されたルアテーパー孔３ｃ3 とを備えており、カテーテル基３ｂとの螺合具合で加締力を調整できるものである。
【００３６】
他方、保護ケース１内に収納されるカテーテルチューブ４は、末端側にブッシュ４ａが突設されている。このブッシュ４ａは、図５に示すように、加締部材３ｃのルアテーパー孔３ｃ3 に整合された位置で、カテーテル基３ｂを螺合させることでカテーテルチューブ４が不動状態に狭持されるが、その際、分離カテーテル基３と気密に接続させることができる。
【００３７】
このように構成される本実施例のカテーテル収納ケースＡは、図３に示すように、トリガーグリップ２を握持する手の親指を前記押出指グリップ５ｂ内に入れた状態で、カテーテルチューブ４を押し出すことができるため、滅菌処理されたカテーテルチューブ４に、直接、手を触れることなく手技をすることができる。
【００３８】
次に、本発明に係るカテーテル収納ケースの第２実施例を図６乃至図８を参照しながら説明する。尚、理解を容易にするため、前述した第１実施例と同一部分は同一符号で示し、構成の異なる処のみを新たな番号を付して以下に説明する。
【００３９】
保護ケース１の一部に伸縮自在なスリーブ６を介在している。このスリーブ６は、滅菌フィルム等の軟性素材からなり、前端側は定着部材６ａを介して保護ケースに固定してあり、後端側はスライド部材６ｂを介して遊動自在に同保護ケースに取り付けてある。
【００４０】
また、このスライド部材６ｂは、保護ケース１の外周面に遊嵌された摺動部６ｂ1 と、該摺動部６ｂ1 との間に弾性部材７を介して同保護ケース１に固定されて定着部６ｂ2 とから構成されている。
【００４１】
弾性部材７は、図７に示すように、例えば、ゴム７ａ（図７(ａ)参照）、バネ７ｂ（図７(ｂ)参照）等からなり、スリーブ６を、常時、伸長方向に付勢させている。
【００４２】
このように構成される本実施例のカテーテル収納ケースＢは、図８に示すように、スリーブ６を摘んでカテーテルチューブ４を矢印方向に送り出すことができ、また、スリーブ６から指を離した瞬間に、同スリーブ６が前記弾性部材７の付勢力により、元の位置（状態）へと復帰してしまうため、徒に寄れ合うことが無く、送出操作に頗る便利となる。
【００４３】
次に、本発明に係るカテーテル収納ケースの第３実施例を図９乃至図１０を参照しながら説明する。尚、理解を容易にするため、前述した第１実施例と同一部分は同一符号で示し、構成の異なる処のみを新たな番号を付して以下に説明する。
【００４４】
保護ケース１内に挿着保護されるカテーテルチューブ４を押し進めるためのプッシャー８を備えている。
【００４５】
このプッシャー８は、保護ケース１の内径よりも細い外径を有する杆若しくは管体からなり、図１０に示すように、同保護ケース１の後端開口側から押し込んでカテーテルチューブ４のブッシュ４ａを押圧することで、同チューブ４を分離カテーテル基３の方向へ押し出すことができ、順次、体内へと送り込むことができる。因に、図中９は、保護ケース１をコイル状に保持する二連若しくは三連の保持管である。
【００４６】
尚、本発明は本実施例に限定されることなく、本発明の目的の範囲内で自由に設計変更し得るものであり、本発明はそれらの全てを包摂するものである。例えば、本発明のカテーテル収納ケースは、本実施例で示したカテーテルチューブ４のみ用として限定使用されるものではなく、ガイドワイヤー等の医療用長尺材の保護ケースとしても広く使用できることは云うまでもない。
【００４７】
【発明の効果】
本発明は上述のように構成され、内空路に連通する送込切欠部を周面若しくは一部に有する管状の保護ケースと、該保護ケースに取り付けされるトリガーグリップと、該トリガーグリップの先端側に連結される分離カテーテル基とを備えてなることによって、トリガーグリップを握持した手の指だけでカテーテルチューブの送り出しができるといった効果を奏するものである。
【００４８】
また、保護ケース内に収納されるカテーテルチューブの末端側に設けられて同チューブを分離カテーテル基に気密に接続せしめるブッシュを備えることによって、カテーテルチューブと分離カテーテル基とを確実かつ円滑に連結できるといった効果を奏するものである。
また、前記ブッシュが、プッシャーで押し進められてカテーテルチューブを体内に送り込むことにより、保護ケースの途中でカテーテルチューブが詰まったり、手技の際、送出操作が中断されることもない。
【００４９】
更に、前記保護ケースが、コイル状に巻回されることによって、カテーテルチューブが折れ曲がることがないように保護できるといった効果を奏する。
【００５０】
また、前記トリガーグリップが、少なくとも保護ケースの送込切欠部下に配置されるグリップ本体と、該グリップ本体の長手方向両端に形成された保護ケース挿通支持部とを備えてなることによって、保護ケースへの取り付けが簡単に行えると共に、手掌への握持感覚が良くなるため、カテーテルチューブの操作性を高めることができるといった効果を奏する。
【００５１】
更に、前記分離カテーテル基が、先端開口側に雄ネジを後端開口側にルアテーパー孔を有する連結管と、該連結管の先端側に着脱自在に取り付けされるカテーテル基と、前記連結管内に挿着される管状の加締部材とを備えたことによって、前記カテーテル基を回すだけで、加締部材が締め付けられ、カテーテルチューブが外れないように締結できるといった効果を奏するものである。
【００５２】
また、前記保護ケース及び／又はトリガーグリップにカテーテルチューブの送出手段を備えれば、より円滑に同チューブを送り出すことができるといった効果を奏するものである。
【００５３】
更に、前記送出手段が、保護ケースの送込切欠部でカテーテルチューブに接する押出指グリップであることによって、トリガーグリップを握持する手の親指を前記押出指グリップ内に入れた状態で、カテーテルチューブを押し出すことができるため、滅菌処理されたカテーテルチューブに、直接、手を触れることなく、手技することができるといった効果を奏する。
【００５４】
また、前記送出手段が、少なくとも保護ケースの送込切欠部を被装する滅菌フィルム等の軟性素材からなる伸縮自在なスリーブであることによって、スリーブの上からカテーテルチューブを掴み、そのまま前方へ送り出すことができるといった効果を奏するものである。
【００５５】
更に、前記スリーブを、保護ケースにゴム、バネ等の弾性部材を介して伸長方向に付勢させておけば、スリーブを摘んでカテーテルチューブを送り出しても、スリーブから指を離した瞬間に、同スリーブが前記弾性部材の付勢力により、元の位置（状態）へと戻ることができるため、徒に寄れて合ってしまうといった危惧をも一掃できるものである。
【００５７】
このように本発明は、滅菌処理されたカテーテルチューブに直接手を触れることなく送出操作ができるため、衛生的であり、かつ、片手だけでも簡単に送出操作ができるため、手技の際、頗る使い勝手が良く、また、構成が単純であるため、大量生産に適し、価格も低廉なものとして需要者に供給できる等、本発明を実施することはその実益的価値が甚だ大である。
【図面の簡単な説明】
【図１】本発明に係るカテーテル収納ケースの第１実施例を示す斜視図である。
【図２】本実施例で使用するトリガーグリップの拡大斜視図である。
【図３】同トリガーグリップの操作を示す説明図である。
【図４】本実施例で使用する分離カテーテル基の組立分解斜視図である。
【図５】同分離カテーテル基の縦断面図である。
【図６】本発明に係るカテーテル収納ケースの第２実施例を示す斜視図である。
【図７】本実施例で使用する送出手段の説明図である。
【図８】同送出手段の送出操作を示す説明図である。
【図９】本発明に係るカテーテル収納ケースの第３実施例を示す斜視図である。
【図１０】本実施例で使用する送出手段の操作を示す説明図である。
【符号の説明】
１  保護ケース
１ａ  内空路
１ｂ  送込切欠部
２  トリガーグリップ
２ａ  グリップ本体
２ｂ  保護ケース挿通支持部
２ｃ  保護ケース支持部
３  分離カテーテル基
３ａ  連結管
３ａ1 雄ネジ
３ａ2 ソケット管
３ａ3 ルアテーパー孔
３ｂ  カテーテル基
３ｂ1 送出管
３ｂ2 雌ネジ
３ｂ3 リブ
３ｃ  加締部材
３ｃ1 スリット
３ｃ2 弾縮部
３ｃ3 ルアテーパー孔
４  カテーテルチューブ
４ａ  ブッシュ
５  送出手段
５ａ  取付グリップ
５ｂ  押出指グリップ
５ｃ  押圧部材
５ｄ  押圧基台
６  スリーブ
６ａ  定着部材
６ｂ  スライド部材
６ｂ1 摺動部
６ｂ2 定着部
７  弾性部材
７ａ  ゴム
７ｂ  バネ
８  プッシャー
９  保持管
【図１】
0004751518.tif 000002
【図２】
0004751518.tif 000003
【図３】
0004751518.tif 000004
【図４】
0004751518.tif 000005
【図５】
0004751518.tif 000006
【図６】
0004751518.tif 000007
【図７】
0004751518.tif 000008
【図８】
0004751518.tif 000009
【図９】
0004751518.tif 000010
【図１０】
0004751518.tif 000011